(57)【要約】【課題】投射レンズ位置調整機構に容易に操作できる固定機構を設け、投射レンズ移動時の操作性を改善すると共に、振動、衝撃等による投射レンズのズレを防止する。【解決手段】投射レンズ２１は、レンズベース２２に固定され、レンズベース２２はシフトベース前２３ａとシフトベース後２３ｂの間をスライドするように構成されている。また、ジョイスティック１１はシフトベース２３ｂの回動点２４に回動自在に支持され、ジョイスティック１１を回動させることによりレンズベース２２がスライドする構成であり、移動負荷の小さい投射レンズ移動機構をもつと同時に、容易に操作できる固定機構、キャップ１２とロックピース１３により、投射レンズの位置ズレを防止することができる【選択図】図３
2006065028.tif 000002
【特許請求の範囲】
【請求項１】
画像生成手段と、
前記画像生成手段により生成された画像を拡大投射する投射レンズと、
前記投射レンズを保持する鏡筒と、
前記鏡筒を上下左右にスライド可能に保持するレンズベースと、
前記レンズベースをはさみ込むように設置されたシフトベースと、
前記レンズベースの穴を通り、かつシフトベースに回動自在に取り付けられたジョイスティックと、
により構成され、
前記ジョイスティックを上下左右に回動させることにより、前記投射レンズが上下左右に移動することを特徴とする投射型表示装置。
【請求項２】
前記ジョイスティックが１本で、かつシフトベースに回動自在に取り付けられ、前記ジョイスティック１本を上下左右に回動させることにより、投射レンズを上下左右に移動可能なことを特徴とする請求項１記載の投射型表示装置。
【請求項３】
−
前記ジョイスティックが、
前記シフトベースに回動自在に取り付けられた軸と、
前記軸に螺合するキャップと、
前記キャップと前記レンズベースとの間に設置されるロックピースと、
により構成され、
前記キャップを回転締結することにより、前記ロックピースが前記シフトベースに押し付けられて、前記投射レンズの固定を行うことを特徴とする請求項１記載の投射型表示装置。
【請求項４】
バネによって前期レンズベースを押圧する軸を設けた前期シフトベースと、十字溝を設けた前記レンズベースによって構成され、前記投射レンズを中心位置から上下のみあるいは左右のみに移動させる場合に十字溝がガイド溝となって容易に移動できるとともに、レンズ移動機構の中心位置がわかることを特徴とする請求項１記載の投射型表示装置。
【発明の詳細な説明】
【技術分野】
【０００１】
本発明は、液晶パネル類の画像を拡大投写する投射型表示装置に関するものであり、特に、投射レンズを上下左右に移動させて、投写画面位置を移動可能にする投射型表示装置に関するものである。
【背景技術】
【０００２】
従来からメタルハライド等の光源を使用して液晶パネルの映像を拡大投写する装置が発売されている。これは光源から発する光がミラー等を経由して液晶パネルに集光され、投射レンズを通してスクリーンに写し出されるものである。
【０００３】
一般に、投射型表示装置は液晶パネル中心とレンズ光軸を一致させる場合が多く、その場合スクリーンに写る画面とレンズ光軸中心が一致して写される。また、投射レンズを液晶パネルに対して上部にシフトした場合は、スクリーンに写し出される投写画面は上方向に移動する。
【０００４】
通常、投射型表示装置は使用に際し、平らな机上に置かれるが、投写画像は机よりも上方に投写画像中心があったほうが見やすいため、本体の前脚を高くして投写画像が机よりも上にあるようにする。この場合、画面が台形に歪む。これを防止する方法としてレンズ光軸と液晶パネル中心の軸をずらすことができるようにしたものがレンズシフト機構である。
【０００５】
近年、投射型表示装置においては、投射レンズを移動することにより、投写画面の移動を行うものが実用化されている。
【０００６】
以下に従来のレンズシフト機構をもつ投射型表示装置について説明する
従来、レンズシフト機構をもつ投射型表示装置は、特開２００３−３１５９１７号公報に記載されたものが知られている。その投射型表示装置を図６に示す。図６は、従来のレンズシフト機構をもつ投射型表示装置の全体図であり、図６（ａ）は断面図、図６（ｂ）は正面図を示すものである。
【０００７】
図６において、投射レンズ１０１が固定されたレンズ取付板１０２は摺動ベース１０３に接触させられており、レンズ取付板１０２はコイルバネ１０５の付勢によって摺動ベース１０３に押圧されている。また、カバー部材１０４には筒状突出部１０４ｂが設けられ、筒状突出部１０４ｂと投射レンズ１０１とに指をかけて投射レンズを移動させる構成となっている。
【０００８】
尚、カバー部材１０４は固定するネジ１０６により摺動ベース１０３に固定され、また本体箱１０７は投射型表示装置の筐体を示す。
【特許文献１】特開２００３−３１５９１７号公報
【発明の開示】
【発明が解決しようとする課題】
【０００９】
しかしながら、上記従来の構成では、投射レンズの自重および機器への振動・衝撃等によって、投射レンズのズレが発生する可能性がある。また、投射レンズのズレを防止するため、レンズ位置調整時の移動負荷が大きくなるという問題点を有していた。
【００１０】
本発明は上記従来の問題点を解決するものであり、投射レンズ位置調整機構に容易に操作できる固定機構を設け、投射レンズ移動時の操作性を改善すると共に、振動、衝撃等による投射レンズのズレを防止したレンズシフト機構をもつ投射型表示装置を提供することを目的とする。
【課題を解決するための手段】
【００１１】
本発明の請求項１記載の発明は、画像生成手段と、前記画像生成手段により生成された画像を拡大投射する投射レンズと、前記投射レンズを保持する鏡筒と、前記鏡筒を上下左右にスライド可能に保持するレンズベースと、前記レンズベースをはさみ込むように設置されたシフトベースと、前記レンズベースの穴を通り、かつシフトベースに回動自在に取り付けられたジョイスティックにより構成されたことを特徴とする投射型表示装置であり、前記ジョイスティックを上下左右に回動させることにより、前記投射レンズが上下左右に移動するという作用を有する。
【００１２】
本発明の請求項２記載の発明は、前記ジョイスティックが１本で、かつシフトベースに回動自在に取り付けられたことを特徴とする請求項１記載の投射型表示装置であり、前記ジョイスティック１本を上下左右に回動させることにより、投射レンズを上下左右に移動可能という作用を有する。
【００１３】
本発明の請求項３記載の発明は、前記ジョイスティックが、前記シフトベースに回動自在に取り付けられた軸と、前記軸に螺合するキャップと、前記キャップと前記レンズベースとの間に設置されるロックピースによって構成されたことを特徴とする請求項１記載の投射型表示装置であり、前記キャップを回転締結することにより、前記ロックピースが前記シフトベースに押し付けられて、前記投射レンズの固定を行うという作用を有する。
【００１４】
本発明の請求項４記載の発明は、バネによって前期レンズベースを押圧する軸を設けた前期シフトベースと、十字溝を設けた前記レンズベースによって構成されたことを特徴とする請求項１記載の投射型表示装置であり、投射レンズを中心位置から上下のみあるいは左右のみに移動させる場合に十字溝がガイド溝となって容易に移動できるとともに、レンズ移動機構の中心位置がわかるという作用を有する。
【発明の効果】
【００１５】
以上のように本発明の投射型表示装置は、移動負荷の小さい投射レンズ移動機構をもつと同時に、容易に操作できる固定機構により投射レンズの位置ズレを防止する効果が得られる。
【発明を実施するための最良の形態】
【００１６】
以下、本発明の実施の形態について、図１から図５を用いて説明する。
【００１７】
図１は本発明の一実施例における投射型表示装置の全体レイアウト図であり、図１（ａ）は平面図、図１（ｂ）は側面図を示す。図２は図１のレンズ光学系（鏡筒）部の斜視図、図３は図２のレンズ光学系（鏡筒）部の断面図を示す。また、図４はレンズベースとシフトベース中心軸の位置関係を示す斜視図、図５はレンズ光学系部のシフトベース中心軸部分での断面図を示す。
【００１８】
図１に示すように、光源１からの光を複数のミラー２を使い赤、緑、青に色分解し液晶パネル３に入射させ、プリズム台１０上のプリズム４で画像合成し、画像を生成する。これらによって構成された画像生成手段により生成された画像を投写レンズ５により拡大投影する。これらの各構成部材は本体箱（筐体）６内部に収納されている。
【００１９】
図２および図３において、投射レンズ２１はレンズベース２２に固定され、レンズベース２２はシフトベース前２３ａとシフトベース後２３ｂの間をスライドするように構成されている。また、ジョイスティック１１はシフトベース後２３ｂの回動点２４に回動自在に支持され、ジョイスティック１１を回動させることによりレンズベース２２がスライドする構成となっていると同時に、キャップ１２を回転させて、ロックピース１３を介して、シフトベース前２３ａに対する位置の固定および解除を行う構成になっている。
【００２０】
また、図４および図５において、先端が球状となっているシフトベース中心軸２３ｃは中心軸バネ２３ｄによってレンズベース２２に設けられたレンズベース十字溝部２２ａに押圧されるようにシフトベース前２３ａ上に構成されている。
【００２１】
以上のように構成された投射型表示装置について、図２から図５を用いてその動作を説明する。
【００２２】
図２および図３において、投射レンズ２１を移動させる場合は、ジョイスティック１１に螺合しているキャップ１２を緩めて、ロックピース１３のシフトベース前２３ａへの圧着を緩める。その後、キャップ１２を持って回動点２４を中心としてジョイスティック１１を回動させることによりレンズベース２２を移動させる。これにより、レンズベース２２に固定された投射レンズ２１の位置を自在に移動させることができる。
【００２３】
また、投射レンズ２１の位置を固定する場合は、ジョイスティック１１に螺合しているキャップ１２を締め付けることにより、ロックピース１３をシフトベース前２３ａに押し付けて、レンズベース２２を固定する。これにより、レンズベース２２に固定された投射レンズ２１の位置を固定することができる。
【００２４】
図４および図５において、投射レンズ２１を移動させる時、投射レンズ２１を中心位置から上下のみあるいは左右のみに移動させる場合は、シフトベース中心軸２３ｃがレンズベース十字溝部２２ａに沿って移動することにより、容易に直線的に移動できる。また、それ以外の方向に移動する場合はシフトベース中心軸２３ｃをレンズベース十字溝部２２ａから外して、自在に移動することができる。また、投射レンズ２１を中心位置に戻す場合は、投射レンズ２１移動時の負荷変化によって、レンズベース十字溝部２２ａの溝交点が判別できるためレンズ移動機構の中心位置が容易にわかる。
【００２５】
なお、レンズベース十字溝部２２ａの溝交点が判別しやすいように、溝交点部分に凹みを設けてもよい。
【００２６】
また、シフトベース中心軸２３をレンズベース２２に設け、レンズベース十字溝部２２ａをシフトベース前２３ａに設ける構成としても同様の効果を得ることができる。
【００２７】
また、図１の説明で３枚の液晶パネル等により構成された画像生成手段について説明したがこれに限るものではなく、１枚、２枚による液晶パネル、１枚あるいは複数枚のＤＬＰ（Ｄｉｇｉｔａｌ  Ｌｉｇｈｔ  Ｐｒｏｃｅｓｓｉｎｇの略）による構成であることも可能である。
【産業上の利用可能性】
【００２８】
本発明にかかる投射型表示装置は、移動負荷の小さい投射レンズ移動機構をもつと同時に、容易に操作できる固定機構により投射レンズの位置ズレを防止する効果を有し、手動調整を行うレンズシフト機構をもつ装置として有用である。
【図面の簡単な説明】
【００２９】
【図１】本発明の一実施例における投射型表示装置の全体レイアウト図
【図２】図１のレンズ光学系部を示す斜視図
【図３】図２のレンズ光学系部の断面図
【図４】図２のレンズベースとシフトベース中心軸の位置関係を示す斜視図
【図５】図２のレンズ光学系部のシフトベース中心軸部分での断面図
【図６】従来のレンズシフト機構をもつ投射型表示装置の全体図
【符号の説明】
【００３０】
１  光源
２  ミラー
３  液晶パネル
４  プリズム
５  投射レンズ
６  本体箱（筐体）
７  鏡筒
８  鏡筒
９  指示板
１０  プリズム台
１１  ジョイスティック
１２  キャップ
１３  ロックピース
２１  投射レンズ
２２  レンズベース
２２ａ  レンズベース十字溝部
２３ａ  シフトベース前
２３ｂ  シフトベース後
２３ｃ  シフトベース中心軸
２３ｄ  中心軸バネ
２４  回動点
１０１  投射レンズ
１０２  レンズ取付板
１０３  摺動ベース
１０４  カバー部材
１０４ｂ  筒状突出部
１０５  コイルバネ
１０６  ネジ
１０７  本体箱（筐体）
【図１】
2006065028.tif 000003
【図２】
2006065028.tif 000004
【図３】
2006065028.tif 000005
【図４】
2006065028.tif 000006
【図５】
2006065028.tif 000007
【図６】
2006065028.tif 000008